(57)【要約】【目的】比較的迅速に，携帯電話に適したフォーマットをもつ動画ファイルを送信する。【構成】フラグメント・ファイル・データベース７には，さまざまなフォーマットをもつセグメント動画ファイルとセグメント音声ファイルとがあらかじめ格納されている。携帯電話から音声付き動画ファイルの送信要求データが受信装置11において受信されると，その要求した携帯電話に最適なフォーマットをもつセグメント動画ファイルとセグメント音声ファイルとがデータベース７から読み取られる。読み取られた動画ファイルと音声ファイルとから，その携帯電話に適した多重化が多重化装置15において行われて送信される。サーバ10においてフォーマット変換が不要なので，迅速に動画ファイルを携帯電話に送信できる。【選択図】図４
2009044596.tif 000002
【特許請求の範囲】
【請求項１】
音声が除かれている動画を表す動画ファイルが異なるフォーマットで多数記憶されており，かつ上記動画の音声を表す音声ファイルが異なるフォーマットで多数記憶されている動画／音声ファイル記憶手段，
表示装置が設けられている携帯端末装置からの音声付き動画の送信要求を表す送信要求データを受信する受信手段，
上記受信手段によって送信要求データが受信されたことに応じて，送信要求した音声付き動画を表し，かつ送信要求データを送信した携帯端末装置において音声付き動画を再生するのに適したフォーマットをもつ動画ファイルおよび音声ファイルを上記動画／音声ファイル記憶手段から見つけ出す動画／音声ファイル検索手段，
上記動画／音声ファイル検索手段によって見つけ出された動画ファイルおよび音声ファイルを，上記送信要求データを送信した上記携帯端末装置において音声付き動画を再生するのに適した多重化方式で多重化するファイル多重化手段，ならびに
上記ファイル多重化手段によって多重化された動画ファイルおよび音声ファイルを上記送信要求データを送信した上記携帯端末装置に送信する送信手段，
を備えた音声付き動画送信サーバ。
【請求項２】
上記動画／音声ファイル記憶手段には，動画および音声が所定時間ごとに分けられている上記動画ファイルおよび上記音声ファイルが記憶されており，
上記動画／音声ファイル検索手段は，
上記受信手段によって送信要求データが受信されたことに応じて，送信要求した音声付き動画を表し，かつ送信要求データを送信した携帯端末装置において音声付き動画を再生するのに適したフォーマットをもち，かつ送信要求データを送信した携帯顛末装置が受信できるデータ量分の動画ファイルおよび音声ファイルを上記動画／音声ファイル記憶手段から見つけ出すものである，
請求項１に記載の音声付き動画送信サーバ。
【請求項３】
上記受信手段によって受信される上記送信要求データは，
送信要求した音声付き動画を特定することに加えて，送信要求した音声付き動画のうちの一部分の時間範囲を特定するものであり，
上記動画／音声ファイル検索手段は，
上記受信手段によって送信要求データを受信したことに応じて，上記特定された時間範囲の部分の送信要求した音声付き動画を表し，かつ送信要求データを送信した携帯端末装置において音声付き動画を再生するのに適したフォーマットをもち，かつ送信要求データを送信した携帯端末装置が受信できるデータ量分の動画ファイルおよび音声ファイルを上記動画／音声ファイル記憶手段から見つけ出すものである，
請求項２に記載の音声付き動画送信サーバ。
【請求項４】
動画／音声ファイル記憶手段が，音声が除かれている動画を表す動画ファイルを異なるフォーマットで多数記憶しており，かつ上記動画の音声を表す音声ファイルが異なるフォーマットで多数記憶しており，
受信手段が，表示装置が設けられている携帯端末装置からの音声付き動画の送信要求を表す送信要求データを受信し，
動画／音声ファイル検索手段が，上記受信手段によって送信要求データが受信されたことに応じて，送信要求した音声付き動画を表し，かつ送信要求データを送信した携帯端末装置において音声付き動画を再生するのに適したフォーマットをもつ動画ファイルおよび音声ファイルを上記動画／音声ファイル記憶手段から見つけ出し，
ファイル多重化手段が，上記動画／音声ファイル検索手段によって見つけ出された動画ファイルおよび音声ファイルを，上記送信要求データを送信した上記携帯端末装置において音声付き動画を再生するのに適した多重化方式で多重化し，
送信手段が，上記ファイル多重化手段によって多重化された動画ファイルおよび音声ファイルを上記送信要求データを送信した上記携帯端末装置に送信する，
音声付き動画送信サーバの動作制御方法。
【請求項５】
音声が除かれている動画を表す動画ファイルが異なるフォーマットで多数記憶されており，かつ上記動画の音声を表す音声ファイルが異なるフォーマットで多数記憶されている動画／音声ファイル記憶手段を備えた音声付き動画送信サーバを制御するプログラムであって，
表示装置が設けられている携帯端末装置からの音声付き動画の送信要求を表す送信要求データを受信させ，
上記受信手段によって送信要求データが受信されたことに応じて，送信要求した音声付き動画を表し，かつ送信要求データを送信した携帯端末装置において音声付き動画を再生するのに適したフォーマットをもつ動画ファイルおよび音声ファイルを上記動画／音声ファイル記憶手段から見つけ出させ，
見つけ出された動画ファイルおよび音声ファイルを，上記送信要求データを送信した上記携帯端末装置において音声付き動画を再生するのに適した多重化方式で多重化させ，
多重化された動画ファイルおよび音声ファイルを上記送信要求データを送信した上記携帯端末装置に送信させるように音声付き動画送信サーバを制御するプログラム。
【発明の詳細な説明】
【技術分野】
【０００１】
この発明は，音声付き動画送信サーバならびにその動作制御方法およびその制御プログラムに関する。
【背景技術】
【０００２】
携帯電話などの携帯端末装置を用いて音声付き動画を表す動画ファイルを動画サーバからダウンロードすることにより，携帯端末装置において音声付きの動画を閲覧することができる。音声付き動画を表す動画ファイルのフォーマットにはさまざまな種類があり，すべてのフォーマットの動画ファイルを携帯端末装置において再生することはできないことが多い。携帯電話に動画ファイルを送信する場合には，その送信対象の携帯電話に適したフォーマットをもつ動画ファイルを送信する必要がある。このために，動画サーバにおいて多くの種類のフォーマットをもつ動画ファイルをあらかじめ生成しておき，送信要求のあった携帯端末装置に適した動画ファイルを動画サーバから携帯端末装置に送信することが考えられている。
【０００３】
しかしながら，動画についてはMPEG（Moving Picture Experts Group phase）4 Video，H.264などのフォーマット，音声についてはQCELP（Qualcomm Code Excited Linear Prediction），ＡＭＲ（Advanced Multi Rate CODEC），ＡＡＣ（Advanced Audio Coding）等の多数のフォーマットがある。また，動画ファイルと音声ファイルとを多重化するフォーマットについても3GPP（3rd Generation Partnership Project），3GPP2（3rd Generation Partnership Project 2），AMC，ASF（Advanced Streaming Format）など多数の種類がある。動画と音声との組み合わせから構成される音声付き動画ファイルのフォーマットは極めて多くなってしまう。このために，すべてのフォーマットについて音声付き動画を表すファイルを生成しておくことは現実的ではない。また，要求があった場合に，その要求した携帯端末装置に適した音声付き動画を表すファイルを生成するのは計算量が多いために，リアルタイム処理ができないことが多い。
【０００４】
このような問題に対処することも考えられているが（特許文献１，２），送信先の携帯端末装置の能力が一様であることが要求される。
【特許文献１】特表2001-512648号公報
【特許文献２】特開2006-74555号公報
【発明の開示】
【０００５】
この発明は，端末装置において音声付き動画を再生するのに適したファイルを，比較的簡単に送信することを目的とする。
【０００６】
この発明による音声付き動画送信サーバは，音声が除かれている動画を表す動画ファイルが異なるフォーマットで多数記憶されており，かつ上記動画の音声を表す音声ファイルが異なるフォーマットで多数記憶されている動画／音声ファイル記憶手段，表示装置が設けられている携帯端末装置からの音声付き動画の送信要求を表す送信要求データを受信する受信手段，上記受信手段によって送信要求データが受信されたことに応じて，送信要求した音声付き動画を表し，かつ送信要求データを送信した携帯端末装置において音声付き動画を再生するのに適したフォーマットをもつ動画ファイルおよび音声ファイルを上記動画／音声ファイル記憶手段から見つけ出す動画／音声ファイル検索手段，上記動画／音声ファイル検索手段によって見つけ出された動画ファイルおよび音声ファイルを，上記送信要求データを送信した上記携帯端末装置において音声付き動画を再生するのに適した多重化方式で多重化するファイル多重化手段，ならびに上記ファイル多重化手段によって多重化された動画ファイルおよび音声ファイルを上記送信要求データを送信した上記携帯端末装置に送信する送信手段を備えていることを特徴とする。
【０００７】
この発明は，上記音声付き動画送信サーバに適した動作制御方法も提供している。すなわち，この方法は，動画／音声ファイル記憶手段が，音声が除かれている動画を表す動画ファイルを異なるフォーマットで多数記憶しており，かつ上記動画の音声を表す音声ファイルが異なるフォーマットで多数記憶しており，受信手段が，表示装置が設けられている携帯端末装置からの音声付き動画の送信要求を表す送信要求データを受信し，動画／音声ファイル検索手段が，上記受信手段によって送信要求データが受信されたことに応じて，送信要求した音声付き動画を表し，かつ送信要求データを送信した携帯端末装置において音声付き動画を再生するのに適したフォーマットをもつ動画ファイルおよび音声ファイルを上記動画／音声ファイル記憶手段から見つけ出し，ファイル多重化手段が，上記動画／音声ファイル検索手段によって見つけ出された動画ファイルおよび音声ファイルを，上記送信要求データを送信した上記携帯端末装置において音声付き動画を再生するのに適した多重化方式で多重化し，送信手段が，上記ファイル多重化手段によって多重化された動画ファイルおよび音声ファイルを上記送信要求データを送信した上記携帯端末装置に送信するものである。
【０００８】
この発明は，上記音声付き動画送信サーバの動作制御方法を実施するための制御プログラムも提供している。
【０００９】
この発明によると，音声が除かれている動画を表す動画ファイルが異なるフォーマットで多数記憶されており，その動画の音声を表す音声ファイルも異なるフォーマットで多数記憶されている。携帯端末装置から音声付き動画の送信要求を表す送信要求データが送信されて音声付き動画送信サーバにおいて受信されると，その送信要求データによって特定される音声付き動画を表し，送信要求データを送信した携帯端末装置において音声付き動画を再生するのに適したフォーマットをもつ動画ファイルと音声ファイルとが見つけ出される。見つけ出された動画ファイルと音声ファイルとが，その携帯端末装置に適した多重化方式で多重化される。多重化された動画ファイルと音声ファイルとが音声付き動画送信サーバから携帯端末装置に送信される。多数のフォーマットの動画ファイルと音声ファイルとがあらかじめ記憶されており，携帯端末装置における音声付き動画の再生に適した動画ファイルと音声ファイルとを見つけ出して，見つけ出された動画ファイルと音声ファイルとを多重化して携帯端末装置に送信すれば良いので，処理時間は比較的短く済む。また，音声付き動画を表す動画ファイルについてさまざまなフォーマットに対応してあらかじめ生成しておく場合に比べて生成しておくファイルのフォーマットの種類も少なくて済む。
【００１０】
上記動画／音声ファイル記憶手段には，動画および音声が所定時間ごとに分けられている上記動画ファイルおよび上記音声ファイルが記憶されていてもよい。この場合，上記動画／音声ファイル検索手段は，たとえば，上記受信手段によって送信要求データが受信されたことに応じて，送信要求した音声付き動画を表し，かつ送信要求データを送信した携帯端末装置において音声付き動画を再生するのに適したフォーマットをもち，かつ送信要求データを送信した携帯顛末装置が受信できるデータ量分の動画ファイルおよび音声ファイルを上記動画／音声ファイル記憶手段から見つけ出すものとなろう。
【００１１】
上記受信手段によって受信される上記送信要求データは，送信要求した音声付き動画を特定することに加えて，送信要求した音声付き動画のうちの一部分の時間範囲を特定するものでもよい。この場合，上記動画／音声ファイル検索手段は，たとえば，上記受信手段によって送信要求データを受信したことに応じて，上記特定された時間範囲の部分の送信要求した音声付き動画を表し，かつ送信要求データを送信した携帯端末装置において音声付き動画を再生するのに適したフォーマットをもち，かつ送信要求データを送信した携帯端末装置が受信できるデータ量分の動画ファイルおよび音声ファイルを上記動画／音声ファイル記憶手段から見つけ出すものとなろう。
【実施例】
【００１２】
図１は，この発明の実施例を示すもので，フラグメント・ファイル生成装置の電気的構成を示すブロック図である。
【００１３】
フラグメント・ファイル生成装置は，音声付き動画を表す動画ファイル（元動画ファイル）からその音声付き動画の一部分である音声が除かれている複数の動画ファイル（フラグメント動画ファイル）および音声を表す複数の音声ファイル（フラグメント音声ファイル）を生成するものである。複数の異なるフォーマットをもつ複数のフラグメント動画ファイルおよびフラグメント音声ファイルが生成される。
【００１４】
元動画ファイルは動画入力インターフェイス２を介して動画変換制御装置５に入力する。キーボード３によって，生成されるべきフラグメント動画ファイルのフォーマット，フラグメント音声ファイルのフォーマット，フラグメント動画ファイルのサイズ（データ量）とフラグメント音声ファイルのサイズなどの変換パターンが入力される。入力された変換パターンは，変換パターン入力インターフェィス４を介して動画変換制御装置５に入力する。
【００１５】
元動画ファイルおよび変換パターンは，動画変換制御装置５を介して動画変換装置６に入力する。動画変換制御装置５の制御のもとに動画変換装置６において，入力した元動画ファイルが変換パターンにしたがったフォーマットをもち，かつサイズの複数のフラグメント動画ファイルおよび複数のフラグメント音声ファイルが生成される。生成された複数のフラグメント動画ファイルおよび複数のフラグメント音声ファイルは，フラグメント・ファイル・データベース７に格納される。
【００１６】
図２は，フラグメント・ファイル生成装置によって複数のフラグメント動画ファイルおよび複数のフラグメント音声ファイルが生成される様子を示している。
【００１７】
フラグメント動画ファイルについてはＭＰＥＧ４フォーマットのものが生成され，フラグメント音声ファイルについてはQCELPフォーマットとＡＭＲフォーマットとが生成されるように変換パターンが入力されているものとする。また，フラグメント・ファイルのサイズは100ｋＢとなるように変換パターンが入力されているものとする。
【００１８】
音声付きの動画を表す元動画ファイルＣ１がフラグメント・ファイル生成装置に入力すると，入力された変換パターンにしたがってＭＰＥＧ４のフォーマットをもつ２つのフラグメント動画ファイルC1V1_1およびC1V1_2が生成される。また，QCELPフォーマットをもつ２つのフラグメント音声ファイルC1A1_1およびC1A1_2ならびにAMPフォーマットをもつ２つのフラグメント音声ファイルC1A2_1およびC1A2_2が生成される。
【００１９】
他の元動画についても同様に，様々なフォーマットをもつ複数のフラグメント動画ファイルおよび複数のフラグメント音声ファイルが生成される。元動画ファイルＣ１についてもＭＰＥＧ４のフォーマットをもつフラグメント動画ファイル，QCELPフォーマットをもつ複数のフラグメント音声ファイルおよびAMPフォーマットをもつ複数のフラグメント音声ファイルだけでなく，他のフォーマットをもつ複数のフラグメント動画ファイルおよび他のフォーマットをもつ複数のフラグメント音声ファイルが生成されるのはいうまでもない。
【００２０】
図３は，フラグメント・ファイル情報テーブルの一例である。このフラグメント・ファイル情報テーブルは，フラグメント・ファイル・データベース７に格納される。
【００２１】
フラグメント・ファイル情報テーブルは，生成されたフラグメント・ファイルについての情報を格納するものである。
【００２２】
フラグメント・ファイル情報テーブルには，フラグメント・ファイルが生成された元動画のファイル名，セグメント・ファイル名，生成されたフラグメント・ファイルのフォーマット，一つの元動画から生成された一もしくは複数のセグメント動画ファイルまたは一もしくは複数のセグメント音声ファイルを順序づけるフラグメント番号，フラグメント・ファイルによって表される音声が除かれた動画または音声の元動画ファイルによって表される音声付き動画における開始時刻，セグメント・ファイルの長さ（再生時間）およびセグメント・ファイルのサイズが格納されている。フラグメント・ファイル情報を用いることにより，フラグメント・ファイルのフォーマット，サイズ等が分かる。
【００２３】
図４は，音声付き動画送信サーバの電気的構成を示すブロック図である。
【００２４】
音声付き動画送信サーバ10には，上述したようにして生成されたセグメント・ファイルおよびセグメント・ファイル情報テーブルが格納されているセグメント・ファイル・データベース７が接続されている。音声付き動画送信サーバ10は，携帯電話（携帯端末装置）からの要求に応じて，その携帯電話における再生に適した音声付き動画を表すファイルを送信するものである。音声付き動画ファイルは，携帯電話の機種に応じたフォーマットをもつものが送信される。このために，音声付き動画送信サーバ10には，機種情報データベース13が含まれている。この機種情報データベース13に格納されている機種情報にもとづいて携帯電話において音声付き動画の再生に最適なフォーマット等をもつ音声付き動画ファイルが音声付き動画送信サーバ10から携帯電話に送信される。
【００２５】
図５は，機種情報データベースに格納されている機種情報テーブルの一例である。
【００２６】
機種情報テーブルには，携帯電話の機種ごとに機種情報が格納されている。機種情報には，その機種の携帯電話において音声が除かれている動画を再生するのに適した動画ファイル・フォーマット，音声を出力するのに適した音声ファイル・フォーマット，動画ファイルと音声ファイルとを多重化する方式，受信可能なファイル・サイズなどが格納されている。音声付き動画ファイルを要求した携帯電話の機種が分かることにより，その機種に適した動画ファイル・フォーマット，音声ファイル・フォーマット，多重化方式およびその機種の携帯電話が受信可能なファイル・サイズが分かる。
【００２７】
もちろん，機種情報テーブルには，携帯電話に設けられている表示装置の表示解像度，携帯電話のビット・レートなどのパラメータも格納されており，それらの表示解像度およびビット・レートに対応したファイルが生成されるのはいうまでもない。必要であれば，後述のように多重化装置15において多重化するだけでなく表示解像度の変換，ビット・レートの変換などが行われてもよい。もっとも，機種ごとに最適な複数種類の表示解像度およびビット・レートをもつセグメント動画ファイルおよびセグメント音声ファイルをあらかじめ生成しておき，セグメント・ファイル・データベース７に格納しておいてもよい。
【００２８】
図４に戻って，携帯電話から送信される音声付き動画ファイルの送信要求データは音声付き動画送信サーバ10の受信装置11において受信される。送信要求データは，たとえば，HTTP（HyperText Transfer Protocol）リクエストである。そのHTTPリクエストに含まれるヘッダに，要求する音声付き動画ファイルのファイル名（またはその動画ファイルを特定するＵＲＬ名など），携帯電話の機種情報などが格納されており，HTTPリクエストが受信されることにより，携帯電話により要求されている動画ファイルのファイル名，動画ファイルを要求している携帯電話の機種名などが分かる。もっとも，送信要求データはHTTPリクエストに限らないのはいうまでもない。要求されている動画ファイルおよび要求している携帯電話の機種名が音声付き動画送信サーバに送信されればよい。
【００２９】
受信装置11において受信された送信要求データは，要件特定装置12に与えられる。要件特定装置12において，入力した送信要求データから要求している音声付き動画ファイルのファイル名および携帯電話の機種が検出される。機種が検出されると，検出された機種に最適な動画ファイル・フォーマット，音声ファイル・フォーマット，多重化方式およびファイル・サイズが機種情報データベース13から読み取られる。機種情報データベース13から読み取られた動画ファイル・フォーマット等と要求している音声付き動画ファイルのファイル名を表すデータは，フラグメント・ファイル検索装置14に入力する。また，機種情報データベース13から読み取られた多重化方式を表すデータは多重化装置15に入力する。
【００３０】
フラグメント・ファイル検索装置14において，要求されている音声付き動画ファイルから生成されたフラグメント動画ファイルとフラグメント音声ファイルとがフラグメント・ファイル情報テーブルを参照してフラグメント・ファイル・データベース７から読み取られる。多重化されることにより生成されるファイルが，要求している携帯電話が受信できるファイル・サイズ以下となる分のフラグメント動画ファイルおよびフラグメント音声ファイルとがフラグメント・ファイル・データベース７から見つけ出されるのはいうまでもない。
【００３１】
フラグメント・ファイル検索装置14においてフラグメント・ファイル・データベース７から見つけ出されたフラグメント動画ファイルとフラグメント音声ファイルとは多重化装置15に入力する。多重化装置15に入力したフラグメント動画ファイルとフラグメント音声ファイルとが，要求している携帯電話の機種に最適な多重化方式で多重化される。多重化されたファイルが送信装置16によって，要求している携帯電話に送信される。
【００３２】
たとえば，AAAという機種の携帯電話がファイル名Ｃ１の元動画ファイルを音声付き動画送信サーバ10に要求する場合には，その機種の携帯電話はＭＰＥＧ４の動画ファイル・フォーマットの動画の再生が適正であり，QCELPの音声ファイル・フォーマットの音声の再生が適正であり，かつ動画ファイルと音声ファイルとは３ＧＰＰにもとづく多重化が適正であることが分かる。AAAという機種の携帯電話が受信できるファイル・サイズは300ｋＢであるから，送信されるファイル・サイズがこの受信可能なファイル・サイズを超えないように，送信されるファイルのデータ量が決定される。
【００３３】
フラグメント・ファイル情報を参照して，フラグメント・ファイル・データベース７からファイル名C1V1_1のフラグメント動画ファイルおよびファイル名C1A1_1のフラグメント音声ファイルがフラグメント・ファイル・データベース７から読み取られて，3GPPにもとづく多重化が行われる。多重化されたファイルが音声付き動画サーバ10から携帯電話に送信される。その後，フラグメント・ファイル・データベース７からファイル名C1V1_2のフラグメント動画ファイルおよびファイル名C1A1_2のフラグメント音声ファイルがフラグメント・ファイル・データベース７から読み取られて，同様に多重化されて送信される。要求した携帯電話が複数のセグメント動画ファイルと複数の音声ファイル・サイズとを多重化したファイルを受信できるファイル・サイズのものである場合には，それらの複数のセグメント動画ファイルと複数の音声ファイル・サイズとが多重化されたファイルが携帯電話に送信されるのはいうまでもない。
【００３４】
さらに，音声付き動画送信サーバ10には，時間範囲特定装置17を設けても良い。この場合には，音声付き動画を要求する携帯電話からは要求する動画の中の必要な部分の時間を指定するデータも送信される。その時間範囲を指定するデータは受信装置11において受信されて時間範囲特定装置17に入力する。時間範囲特定装置17において時間範囲を指定するデータが抽出されて要件特定装置12を介してフラグメント・ファイル検索装置14に入力する。フラグメント・ファイル検索装置14において，指定された時間範囲のフラグメント動画ファイルおよびフラグメント音声ファイルがフラグメント・ファイル・データベース７から読み取られる。携帯電話は，所望の時間範囲の動画を得ることができる。
【００３５】
図６は，音声付き動画送信サーバの処理手順を示すフローチャートである。
【００３６】
携帯電話からの送信要求データが受信されると，その受信された送信要求データが分析される（ステップ21）。この分析により携帯電話が要求している機種名，要求している動画ファイルのファイル名などが分かる。機種情報が機種情報データベース13から読み取られる（ステップ22）。読み取られた機種情報にもとづいて，要求している携帯電話に適した動画ファイル・フォーマット，音声ファイル・フォーマット，多重化方式，送信ファイル・サイズ等が決定される（ステップ23）。
【００３７】
要求している動画ファイルから生成されたセグメント動画ファイルおよびセグメント音声ファイルのうち，要求している携帯電話の機種に最適なセグメント動画ファイルおよびセグメント音声ファイルがセグメント・ファイル・データベース７から見つけ出される（ステップ24）。上述したように，一度に送信される多重化後のファイル・サイズがその要求している携帯電話が受信できるサイズ以下となるようなファイルが，セグメント・ファイル・データベース７から読み取られるのはいうまでもない。読み取られたセグメント動画ファイルおよびセグメント音声ファイルが，要求している携帯電話に適した多重化方式により多重化される（ステップ25）。多重化されたファイルが携帯電話に送信される（ステップ26）。
【００３８】
図７は，他の実施例を示すもので，音声付き動画送信サーバの処理手順を示すフローチャートである。この図において図６に示すものと同一の処理については同一符号を付して説明を省略する。
【００３９】
この処理は，動画の中の所望の時間範囲の部分についてのファイルが音声付き動画送信サーバから携帯電話に送信されるものである。この場合，携帯電話から送信される送信要求データには，所望の時間範囲を特定するデータも含まれる。上述したように送信要求データがHTTPリクエストであれば，そのHTTPリクエストのヘッダに所望の時間範囲を含ませることができよう。送信要求データが分析されることにより，所望の時間範囲が検出される（ステップ27）。検出された時間範囲の音声付き動画を表すセグメント動画ファイルおよびセグメント音声ファイルがフラグメント・ファイル・データベース７から読みと出される。フラグメント・ファイル情報に格納されている開始時刻を参照して，要求されている時間範囲に近い，あるいは要求されている時間範囲をカバーする時間範囲のフラグメント動画ファイルおよびフラグメント音声ファイルがフラグメント・ファイル・データベース７から読み取られよう。その後多重化されて音声付き動画送信サーバ10から携帯電話にファイルが送信される（ステップ25，26）のは上述したのと同様である。
【００４０】
上述した実施例においては，音声付き動画を分割したセグメント動画ファイル，セグメント音声ファイルがあらかじめ生成されているが，携帯電話の受信可能サイズが比較的大きい場合には必ずしもセグメントに分割せずに，さまざまなフォーマットをもつ音声が除かれた動画ファイルと音声ファイルとをあらかじめ生成しておくようにしてもよい。
【図面の簡単な説明】
【００４１】
【図１】フラグメント・ファイル生成装置の電気的構成を示すブロック図である。
【図２】フラグメント・ファイルが生成される様子を示している。
【図３】フラグメント・ファイル情報テーブルの一例である。
【図４】音声付き動画送信サーバの電気的構成を示すフローチャートである。
【図５】機種情報テーブルの一例である。
【図６】音声付き動画送信サーバの処理手順を示すフローチャートである。
【図７】音声付き動画送信サーバの処理手順を示すフローチャートである。
【符号の説明】
【００４２】
７  フラグメント・ファイル・データベース（動画／音声ファイル記憶手段）
10  音声付き動画送信サーバ
11  受信装置
12  要件特定装置
14  フラグメント・ファイル検索装置
15  多重化装置
16  送信装置
【図１】
2009044596.tif 000003
【図２】
2009044596.tif 000004
【図３】
2009044596.tif 000005
【図４】
2009044596.tif 000006
【図５】
2009044596.tif 000007
【図６】
2009044596.tif 000008
【図７】
2009044596.tif 000009